(57)【要約】【課題】現在国内に出回っている建枠及び交差筋違をそのまま使用して仮設される枠組足場の交差筋違に取り付けてことにより、足場板上から手摺りまでの高さを４００ｍｍ以下にすることができる補助手摺りを提供する。【解決手段】枠組足場の建枠１，１間に張架される一対の斜材２ａ，２ａからなる交差筋違２に水平に架け渡されるようになっている補助手摺り４であって、棒状の手摺り本体５と、手摺り本体５の両端部を吊持する一対の吊りアーム６，６とからなり、両吊りアーム６，６の夫々上端部には、両斜材２ａ，２ａに対し着脱自在に嵌合掛止されるフック部７，７が設けられ、両吊りアーム６，６の夫々下端部は、手摺り本体５に対する吊りアーム６の角度を変更できるように手摺り本体５の両端部に夫々枢軸部１１ａ，１１ａにより枢着されている。【選択図】図１
2010229701.tif 000002
【特許請求の範囲】
【請求項１】
枠組足場の建枠間に張架される一対の斜材からなる交差筋違に水平に架け渡されるようになっている補助手摺りであって、棒状の手摺り本体と、手摺り本体の両端部を吊持する一対の吊りアームとからなり、両吊りアームの夫々上端部には、両斜材に対し着脱自在に嵌合掛止されるフック部が設けられ、両吊りアームの夫々下端部は、手摺り本体に対する吊りアームの角度を変更できるように手摺り本体の両端部に夫々枢軸部により枢着されている枠組足場の交差筋違用補助手摺り。
【請求項２】
各吊りアームは、斜材に上方より嵌合掛止可能な下向きＵ字状のフック部と、手摺り本体の端部に下方より嵌合可能な上向きＵ字状の受け部と、フック部と受け部とをつなぐ連結部とからなるアーム本体を有し、アーム本体には、受け部を手摺り本体の端部に嵌合させた状態で受け部及び手摺り本体端部に挿通させる枢着用の第１軸と、斜材に嵌合掛止されるフック部の開口端部に挿通させて斜材からのフック部の脱落を阻止する第２軸と、第１軸及び第２軸をつなぐ第３軸とからなる略コ字状の取付ピンを挿脱自在に挿着してなる請求項１に記載の枠組足場の交差筋違用補助手摺り。
【請求項３】
前記取付ピンは第１軸を第２軸よりも長く形成し、短い方の第２軸に、フック部の軸挿通孔からの抜け出しを阻止するロック手段をロック解除可能に設けると共に、手摺り本体の端部側には第２軸が挿通可能な軸挿通孔を設け、フック部を斜材から取り外す時には、ロック手段をロック解除して第２軸を抜き出し、第１軸は残したまま、アーム本体を手摺り本体に折り畳んで、第２軸を手摺り本体側の軸挿通孔に挿通させるようにしてなる請求項２に記載の枠組足場の交差筋違用補助手摺り。
【請求項４】
第２軸のロック手段は、第２軸の外周面から突出する抜け出し阻止位置と第２軸内に没入する阻止解除位置とに出没自在なロック片と、第２軸内に設けられ、常時はロック片を抜け出し阻止位置に付勢するバネとからなる請求項３に記載の枠組足場の交差筋違用補助手摺り。
【発明の詳細な説明】
【技術分野】
【０００１】
本発明は、枠組足場の建枠間に張架される一対の斜材からなる交差筋違に水平に架け渡されるようになっている補助手摺りに関する。
【背景技術】
【０００２】
建築現場で仮設される枠組足場においては、図９の(a) に示すように、足場板３の長手方向両サイドに沿った建枠１，１間に一対の斜材２ａ，２ａからなるＸ形の交差筋違２が張架されているため、この交差筋違２が安全柵となって、足場板３を渡る作業者の安全を図ることができる。ところが、このような交差筋違２は、同図から分かるように、その下部側が足場板３との間で略三角形に開口された状態となっているため、作業者が足場板３の上で中腰で作業をするような場合に、上記三角形の開口部から過って墜落する危険性があった。そこで、このような危険を防止するために、交差筋違２の下部側三角形開口部を形成する斜材２ａ，２ａに補助手摺り２４を水平に架け渡すようにしている。尚、建枠１は、両側一対の縦材１ａ，１ａと両縦材１ａ，１ａをつなぐ横材１ｂとによって門形に形成されたもので、隣り合う建枠１，１の対向する横材１ｂ，１ｂ間に足場板３が架け渡される。
【０００３】
上記従来の補助手摺り２４は、例えば特許文献１に記載されているが、図９の(b) に概略示すように、１本の棒状手摺り本体からなるもので、この棒状手摺り本体の両端部の夫々には、斜材２ａの上側面部に掛合する第１フック２１と、この第１フック２１よりも外端寄りに位置して斜材２ａの下側面部に掛合する第２フック２２とが設けられ、手摺り本体の一端部側の両フック２１，２２間に、手摺り本体が斜材２ａと平行に位置した状態で両フック２１，２２が同時に斜材２ａに嵌め込み可能な開口部（図示省略）が形成され、手摺り本体の他端部側の第２フック２２は、基軸部が手摺り本体に回転可能で上下動可能に軸支されると共に、常時はバネによって上向きに付勢されている。
【０００４】
この補助手摺り２４を交差筋違２に装着する時は、フック２１，２２間に嵌め込み用開口部が形成される手摺り本体の一端部側を一方の斜材２ａの下手側に位置させた状態で手摺り本体を平行に位置させて、この一端部側の第１フック２１と第２フック２２とを一方の斜材２ａに嵌め込んだ後、手摺り本体を水平にして、この手摺り本体の他端部側の第１フック２１を他方の斜材２ａに嵌め込むと共に、その第２フック２２を他方の斜材２ａに嵌め込むことにより、補助手摺り２４は、図９の(b) に示すような取付状態となる。
【先行技術文献】
【特許文献】
【０００５】
【特許文献１】特開平１０−３３１４１３号公報
【発明の概要】
【発明が解決しようとする課題】
【０００６】
ところで、この度、労働安全衛生法に基づく安全基準の改定があって、枠組足場の足場板から補助手摺りまでの高さが、これまでの５００ｍｍ以下から、４００ｍｍ以下に制限されることになった。図９の(b) に示す従来の補助手摺り２４は、足場板３からの高さが５００ｍｍ以下の安全基準に基づいて製作されたもので、図示のように取り付けられた状態で足場板３の上面からの高さＨｂは４５０ｍｍ前後となっていて、新しい安全基準高さＨｓの４００ｍｍより高くなる。また足場板３の上面から、建枠１の縦材１ａに止着されている斜材２ａの下端止着部までの高さｈは３２９ｍｍであることから、補助手摺り２４の両端部を図示状態から斜材２ａ，２ａの下端側に出来るだけ近づくように取り付けても、この補助手摺りの取付構造では、足場板３上面からの高さを、新しい安全基準高さＨｓである４００ｍｍ以下にすることができず、従ってこのままでは補助手摺り２４が使用できなくなる上に、これが取り付けられる建枠１及び交差筋違２の使用もできなくなる。
【０００７】
しかも、現在、国内において使用され又は保管されている図９に示すようなタイプの建枠及び交差筋違の数量は膨大なものであることから、今後使用できなくなるというのでは極めて不経済であり、莫大な建築用資材の損失となる。
【０００８】
そこで、本発明は、上記のような事情に鑑み、現在国内で使用されている建枠によって仮設される枠組足場の交差筋違にそのまま取り付けて使用することにより、足場板上から手摺りまでの高さを４００ｍｍ以下にすることができるようにした補助手摺りを提供することを目的とする。
【課題を解決するための手段】
【０００９】
上記課題を解決するための手段を、後述する実施形態の参照符号を付して説明すると、請求項１に係る発明は、枠組足場の建枠１，１間に張架される一対の斜材２ａ，２ａからなる交差筋違２に水平に架け渡されるようになっている補助手摺り４であって、棒状の手摺り本体５と、手摺り本体５の両端部を吊持する一対の吊りアーム６，６とからなり、両吊りアーム６，６の夫々上端部には、両斜材２ａ，２ａに対し着脱自在に嵌合掛止されるフック部７，７が設けられ、両吊りアーム６，６の夫々下端部は、手摺り本体５に対する吊りアーム６の角度を変更できるように手摺り本体５の両端部に夫々枢軸部１１ａ，１１ａにより枢着されていることを特徴とする。
【００１０】
請求項２は、請求項１に記載の枠組足場の交差筋違用補助手摺りにおいて、各吊りアーム６は、斜材２ａに上方より嵌合掛止可能な下向きＵ字状のフック部７と、手摺り本体５の端部に下方より嵌合可能な上向きＵ字状の受け部８と、フック部７と受け部８とをつなぐ連結部９とからなるアーム本体１０を有し、アーム本体１０には、受け部８を手摺り本体５の端部に嵌合させた状態で受け部８及び手摺り本体５端部に挿通させる枢着用の第１軸１１ａと、斜材２ａに嵌合掛止されるフック部７の開口端部に挿通させて斜材２ａからのフック部７の脱落を阻止する第２軸１１ｂと、第１軸１１ａ及び第２軸１１ｂをつなぐ第３軸１１ｃとからなる略コ字状の取付ピン１１を挿脱自在に挿着してなることを特徴とする。
【００１１】
請求項３は、請求項２に記載の枠組足場の交差筋違用補助手摺りにおいて、前記取付ピン１１は第１軸１１ａを第２軸１１ｂよりも長く形成し、短い方の第２軸１１ｂに、フック部７の軸挿通孔７ａからの抜け出しを阻止するロック手段１２をロック解除可能に設けると共に、手摺り本体５の端部側には第２軸１１ｂが挿通可能な軸挿通孔５ａを設け、フック部７を斜材２ａから取り外す時には、ロック手段１２をロック解除して第２軸１１ｂを抜き出し、第１軸１１ａは残したまま、アーム本体１０を手摺り本体５に折り畳んで、第２軸１１ｂを手摺り本体５側の軸挿通孔５ａに挿通させるようにしてなることを特徴とする。
【００１２】
請求項４は、請求項３に記載の枠組足場の交差筋違用補助手摺りにおいて、第２軸１１ｂのロック手段１２は、第２軸１１ｂの外周面から突出する抜け出し阻止位置と第２軸１１ｂ内に没入する阻止解除位置とに出没自在なロック片１４と、第２軸１１ｂ内に設けられ、常時はロック片１４を抜け出し阻止位置に付勢するバネ１５とからなることを特徴とする。
【発明の効果】
【００１３】
上記解決手段による発明の効果を、後述する実施形態の参照符号を付して説明すると、請求項１に係る発明の交差筋違用補助手摺りは、棒状の手摺り本体５と、手摺り本体５の両端部を吊持する一対の吊りアーム６，６とからなるもので、両吊りアーム６，６の夫々上端部に、両斜材２ａ，２ａに対し着脱自在に嵌合掛止されるフック部７，７を設け、両吊りアーム６，６の夫々下端部を、手摺り本体５に対する吊りアーム６の角度を変更できるように手摺り本体５の両端部に夫々枢着した構成であるから、補助手摺り４の主体である棒状手摺り本体５を、足場板３上面から出来るだけ低い位置に架け渡すことができる。因みに、現在使用されている枠組足場は、足場板３の上面から、建枠１の縦材１ａに止着されている斜材２ａの下端止着部までの高さｈは約３３０ｍｍであるが、本発明の補助手摺り４によれば、手摺り本体５の足場板３上面から高さＨａを、斜材２ａの下端止着部の高さｈとほぼ同じ高さまで低くすることができるから、４００ｍｍ以下という新しい安全基準高さＨｓを十分にクリアできる。従って、この補助手摺り４は、現在国内に出回っている建枠によって仮設される枠組足場の交差筋違にそのまま取り付けて有効に使用することができる。
【００１４】
請求項２に係る発明によれば、各吊りアーム６は、斜材２ａに上方より嵌合掛止可能な下向きＵ字状のフック部７と、手摺り本体５の端部に下方より嵌合可能な上向きＵ字状の受け部８と、フック部７と受け部８をつなぐ連結部９とからなるアーム本体１０を有し、アーム本体１０には、受け部８を手摺り本体５の端部に嵌合させた状態で受け部８及び手摺り本体５端部に挿通させる枢着用の第１軸１１ａと、斜材２ａに嵌合掛止されるフック部７の開口端部に挿通させて斜材２ａからのフック部７の脱落を阻止する第２軸１１ｂと、第１軸１１ａ及び第２軸１１ｂをつなぐ第３軸１１ｃとからなる略コ字状の取付ピン１１を挿脱自在に挿着しているから、手摺り本体５への吊りアーム６の取付けを容易に行えると共に、斜材２ａからのフック部７の脱落を阻止できる。
【００１５】
請求項３に係る発明によれば、補助手摺り４を交差筋違２の両斜材２ａ，２ａに架け渡す際に、ロック手段１２をロック解除した状態で各吊りアーム６の取付ピン１１の第２軸１１ｂをフック部７の軸挿通孔７ａから引き抜いて、フック部７を斜材２ａに嵌合した後に、第２軸１１ｂをフック部７の軸挿通孔７ａに挿し込めばよく、このとき第２軸１１ｂをフック部７の軸挿通孔７ａから引き抜いても、第２軸１１ｂよりも長い第１軸１１ａは受け部８の軸挿通孔８ａから抜け出ることがないため、斜材２ａへの取付けが簡単容易となる。
【００１６】
請求項４に係る発明によれば、第２軸１１ｂのロック手段１２は、第２軸１１ｂの外周面から突出する抜け出し阻止位置と第２軸１１ｂ内に没入する阻止解除位置とに出没自在なロック片１４と、常時はロック片１４を抜け出し阻止位置に付勢するバネ１５とからなる簡単な構造のもので、第２軸１１ｂの抜け出しを阻止することにより、取付ピン１１をアーム本体１０に保持することができる。
【図面の簡単な説明】
【００１７】
【図１】建枠の支柱間に張架された交差筋違に補助手摺りを取り付けた状態の正面図である。
【図２】(a) は補助手摺りを示す拡大正面図、(b) は同補助手摺りの右側面図、(c) は(a) の矢印Ｚで示す部分を背面側から見た背面図である。
【図３】図１の矢印Ｘで示す部分の斜視図である。
【図４】図１の矢印Ｙで示す部分の斜視図である。
【図５】(a) は補助手摺りの一部を示す正面図、(b) は吊りアームを折り畳んだ状態の正面図、(c) は吊りアームを折り畳んだ状態の平面図である。
【図６】(a) は図１の矢印Ｘで示す部分の拡大正面図、(b) は(a) の矢印Ｑから見た図面、(c) は吊りアームが手摺り本体に対し回転自在であることを示す正面図である。
【図７】(a) は取付ピンを示す正面図、(b) は右側面図、(c) は(b) の矢印Ｖで示す部分の拡大図である。
【図８】(a) は取付ピンの第２軸にロック手段を組み込んだ状態の正面図、(b) は右側面図、(c) は(b) のＷ−Ｗ線拡大断面図である。
【図９】(a) は枠組足場の交差筋違に従来の補助手摺りを取り付けた状態の斜視図、(b) は同状態の正面図である。
【発明を実施するための形態】
【００１８】
以下に本発明の好適な一実施形態を図面に基づいて説明すると、図１に示す本発明の補助手摺り４は、棒状の手摺り本体５と、この手摺り本体５の両端部を吊持する一対の吊りアーム６，６とからなるもので、両吊りアーム６，６の夫々上端部には、Ｘ状に交差した交差筋違２の両斜材２ａ，２ａに対し着脱自在に嵌合掛止されるフック部７，７が設けられ、両吊りアーム６，６の夫々下端部は、手摺り本体５に対する吊りアーム６の角度を変更できるように手摺り本体５の両端部に夫々枢軸部により枢着されている。尚、図１に示す枠組足場は、図９の(a) ，(b) に示す枠組足場と同じである。
【００１９】
補助手摺り４の各吊りアーム６は、図２〜図４に示すように、斜材２ａ，２ａに上方より嵌合掛止可能な下向きＵ字状のフック部７と、棒状手摺り本体の端部に下方より嵌合可能な上向きＵ字状の受け部８と、フック部７と受け部８とをつなぐ板状の連結部９とからなる金属製のアーム本体１０を有し、そしてこのアーム本体１０には、受け部８を手摺り本体５の端部に嵌合させた状態で受け部８及び手摺り本体５の端部に挿通させる枢着用の第１軸１１ａと、斜材２ａに嵌合掛止されるフック部７の開口端部に挿通させて斜材２ａからのフック部７の脱落を阻止する第２軸１１ｂと、第１軸１１ａ及び第２軸１１ｂをつなぐ第３軸１１ｃとからなる略コ字状の金属製取付ピン１１が挿脱自在に挿着され、この取付ピン１１の第３軸１１ｃは、板状連結部９の外側面に沿うように取り付けられる。
【００２０】
図２の(b) 、図５の(c) 更には図７及び図８から分かるように、取付ピン１１の第１軸１１ａは第２軸１１ｂよりも長く形成され、そして短い方の第２軸１１ｂには、フック部７の軸挿通孔７ａからの抜け出しを阻止するロック手段１２がロック解除可能に設けられている。手摺り本体５の端部側には第２軸１１ｂが挿通可能な軸挿通孔５ｏが設けられていて、フック部７を斜材２ａから取り外す時には、図５の(a) 〜(c) に示すように、ロック手段１２をロック解除し、第２軸１１ｂをフック部７の軸挿通孔７ａから抜き出して、第１軸１１ａは受け部８の軸挿通孔８ａに挿通したまま、アーム本体１０を棒状手摺り本体５上に折り畳んだ後、第２軸１１ｂを手摺り本体５の端部の軸挿通孔５ｏに挿通させることにより、アーム本体１０を折り畳み位置に保持できるようになっている。
【００２１】
図７はロック手段１２を組み込んでいない状態の取付ピン１１を示したもので、(a) 〜(c) に示すように、第１軸１１ａよりも短い第２軸１１ｂにはその中心軸線（図示せず）に沿って切欠溝１３が形成されている。この切欠溝１３にロック手段１２を組み込んだ状態を図７の(a) 〜(c) に示す。ロック手段１２は、第２軸１１ｂの外周面から突出するロック位置と第２軸１１ｂ内に没入するロック解除位置とに亘って出没自在なロック片１４と、第２軸１１ｂ内に設けられていて、ロック片１４を常時ロック位置に付勢する板バネ１５とからなるもので、このロック手段１２を切欠溝１３に組み込むにあたり、この切欠溝１３に挿入可能な扁平角筒状のバネボックス１６を設け、このバネボックス１６内に、板バネ１５と、このバネ１５により押圧付勢されて窓１５ａから突片部１４ａが常時突出するロック片１４とを挿入配備しておいて、このバネボックス１６を切欠溝１３に差し込んで固定用ピン１７により固定すればよい。
【００２２】
上記のように手摺り本体５と一対の吊りアーム６，６とから構成される補助手摺り４を組み立てるには、図２の(b) から分かるように、先ず、各吊りアーム６の一部を構成するアーム本体１０の受け部８を手摺り本体５の端部に下方より嵌合させた状態で、取付ピン１１の第１軸１１ａを受け部８の軸挿通孔８ａから手摺り本体５端部の軸挿通孔５ａに亘って挿通し、それから第２軸１１ｂをフック部７の軸挿通孔７ａに挿通して、第３軸１１ｃをアーム本体１０の連結部９の外側面に添え付けた状態とする。この第２軸１１ｂにはロック手段１２が設けてあるから、この第２軸１１ｂをフック部７の軸挿通孔７ａに挿通する時は、ロック片１４の突片部１４ａを押えてロック解除して軸挿通孔７ａに挿通すれば、挿通後はロック片１４がロック位置に復帰するので、フック部７の軸挿通孔７ａからの第２軸１１ｂの抜け出しが阻止され、それにより取付ピン１１がアーム本体１０に保持される。
【００２３】
そして、この補助手摺り４を図１に示すようにＸ状に交差した交差筋違２の両斜材２ａ，２ａに架け渡すには、図３及び図４を参照すれば分かるように、先ず各吊りアーム６の取付ピン１１を、ロック手段１２をロック解除した状態で手前側へ引っ張って、第２軸１１ｂをフック部７の軸挿通孔７ａから引き抜いた状態から、フック部７を斜材２ａに対し上方より嵌合し、その後に第２軸１１ｂをフック部７の軸挿通孔７ａに挿し込めばよい。この場合、第２軸１１ｂをフック部７の軸挿通孔７ａから引き抜いても、第２軸１１ｂよりも長い第１軸１１ａは  受け部８の軸挿通孔８ａから抜け出ることがない。こうしてアーム本体１０のフック部７を斜材２ａに嵌合掛止した状態を図６の(a) ，(b) に示す。
【００２４】
図６の(b) から分かるように、各吊りアーム６のフック部７を斜材２ａに嵌合掛止した状態では、フック部７の開口端部に取付ピン１１の第２軸１１ｂが挿通しているので、振動等によってフック部７が斜材２ａから脱落することがない。また、各吊りアーム６は、図６の(c) にも示すように手摺り本体５に対して回転自在であるから、斜材２ａに対する吊りアーム６の取付角度を適宜に調整することができる。
【００２５】
こうして両吊りアーム６，６のフック部７，７を両斜材２ａ，２ａに夫々嵌合掛止することにより、両吊りアーム６，６で棒状手摺り本体５の両端部を吊持された補助手摺り４が両斜材２ａ，２ａ間に架け渡され、図１に示すような状態となる。このように、本発明に係る補助手摺り４は、棒状の手摺り本体５と、手摺り本体５の両端部を吊持する一対の吊りアーム６，６とからなるもので、両吊りアーム６，６の夫々上端部に、両斜材２ａ，２ａに対し着脱自在に嵌合掛止されるフック部７，７を設け、両吊りアーム６，６の夫々下端部を、手摺り本体５に対する吊りアーム６の角度を変更できるように手摺り本体５の両端部に夫々枢着した構成であるから、補助手摺り４の主体である棒状手摺り本体５を、足場板３の上面から出来るだけ低い位置に架け渡すことができる。
【００２６】
因みに、図１に示す枠組足場において、足場板３の上面から、建枠１の縦材１ａに止着されている斜材２ａの下端止着部までの高さｈは３２９ｍｍであるが、この補助手摺り４によれば、図示からも分かるように、手摺り本体５の足場板３上面から高さＨａを、斜材２ａ下端部の止着部の高さｈとほぼ同じ高さまで低くすることができる。またこの補助手摺り４にあっては、各吊りアーム６は、手摺り本体５の端部に対し吊りアーム６の角度を変更できるように枢着されていると共に、吊りアーム６の上端部に設けたフック部７は、斜材２ａの下端部近くまでスライド下降させることができるから、手摺り本体５の足場板３上面から高さＨａは斜材２ａ下端部の止着部の高さｈより更に低くすることが可能で、４００ｍｍ以下という新しい安全基準高さＨｓを十分に確保することができる。従って、この補助手摺り４は、現在国内に出回っている建枠によって仮設される枠組足場の交差筋違にそのまま取り付けて有効に使用することができる。
【００２７】
尚、本発明に係る補助手摺り４は、Ｘ状に交差した交差筋違２の両斜材２ａ，２ａの夫々下端側に架け渡して使用されるだけでなく、図１に示すように、両側に隣り合う交差筋違２，２の対向する斜材２ａ，２ａの上部側に架け渡して使することもある。
【符号の説明】
【００２８】
１              枠組足場の建枠
２              交差筋違
２ａ            交差筋違の斜材
３              足場板
４              補助手摺り
５              手摺り本体
６              吊りアーム
７              フック部
８              受け部
９              連結部
１０            アーム本体
１１            取付ピン
１２            ロック手段
【図１】
2010229701.tif 000003
【図２】
2010229701.tif 000004
【図３】
2010229701.tif 000005
【図４】
2010229701.tif 000006
【図５】
2010229701.tif 000007
【図６】
2010229701.tif 000008
【図７】
2010229701.tif 000009
【図８】
2010229701.tif 000010
【図９】
2010229701.tif 000011